(57)【特許請求の範囲】
【請求項１】
ベッド本体の側部に側柵が設けられるベッド装置において、
上記側柵を着脱可能に支持するとともにこの側柵を上記ベッド本体から取り外したときにベッド本体の下面側に収容可能に設けられた支持手段を有し、
上記側柵は、
側柵本体と、
この側柵本体に所定間隔で離間して設けられた一対の支持軸とからなり、
上記支持手段は、
上記ベッド本体の下面の幅方向一端部に上記ベッド本体の長手方向に沿って設けられた取り付け部材と、
この取り付け部材の両端部に上記ベッド本体の幅方向に沿ってそれぞれ固着して設けられた一対のガイド部材と、
各ガイド部材に、その軸心に沿ってスライド可能かつ前記軸心を中心に回動可能に支持された摺動軸と、
上記ベッド本体の幅方向外方に位置する上記各摺動軸の一端に設けられ、上記各摺動軸に対して略直角に延び、上記側柵の支持軸を着脱可能に支持する支持部材と、
この支持部材を上記ベッド本体の下面側でほぼ水平に倒伏した第１の状態及びベッド本体の幅方向外方でほぼ垂直に起立した第２の状態とで位置決め保持する位置決め手段とからなることを特徴とするベッド装置。
【請求項２】
上記位置決め手段は、
上記ガイド部材の軸方向に沿って形成された第１の溝部と、一端をこの第１の溝部の上記ベッド本体の幅方向外方に位置する一端に連通させて上記ガイド部材の周方向に沿って形成された第２の溝部とからなるガイド溝と、
上記摺動軸に設けられるとともに上記ガイド溝に係合し、上記第１の溝部の他端に位置するときには上記支持部材を上記第１の状態で位置決め保持し、上記第２の溝部の他端に位置するときには上記支持部材を上記第２の状態で位置決め保持する係合部材とを有することを特徴とする請求項１記載のベッド装置。
【請求項３】
上記ガイド部材には、上記係合部材の上記第２の溝部における位置を調整する調整部材が設けられていることを特徴とする請求項２記載のベッド装置。
【請求項４】
上記支持手段は上記ベッド本体の下面の幅方向両側にそれぞれ設けられていることを特徴とする請求項１記載のベッド装置。
【発明の詳細な説明】
【０００１】
【発明の属する技術分野】
この発明はベッド本体の側部に側柵が設けられるベッド装置に関する。
【０００２】
【従来の技術】
ベッド装置には、マットレス上に仰臥した利用者が就寝中に落下したり、利用者に掛けた布団がずれるのを防止するなどの目的のために、ベッドフレームの側部に側柵を設けるようにしたものがある。この側柵には、利用者がマットレスに乗り降りしたり、診察や介護を受けるときに便利なように、着脱可能な構成としたものが多い。
【０００３】
上記のような側柵は、側柵本体と、この側柵本体の長手方向に離間して設けられた一対の支持軸とから構成されており、側柵は各支持軸がベッド本体に設けられた支持手段に着脱可能に支持されるようになっている。
【０００４】
従来、上記支持手段としてはベッド本体の下面に設けられた取付部材と、この取付部材に一端が固着されるとともに他端は上記ベッド本体の幅方向外方に突出するように設けられた一対の支持梁と、各支持梁の上記他端に固着して設けられた筒状の支持部材とから構成されている。そして、上記側柵はその支持軸をこの支持部材に着脱自在に挿入して支持されるようになっている。
【０００５】
【発明が解決しようとする課題】
しかし、上記のような構成のベッド装置では、上記支持部材は、側柵を取り外した状態においてもベッド本体の幅方向外方に突出している。そのため、側柵をベッド本体から取り外した不使用時に、支持部材が邪魔になるということがあった。
【０００６】
この発明は、側柵をベッド本体から取り外したときに、支持部材が邪魔にならないようにしたベッド装置を提供することを目的とする。
【０００７】
【課題を解決するための手段】
請求項１の発明は、ベッド本体の側部に側柵が設けられるベッド装置において、上記側柵を着脱可能に支持するとともにこの側柵を上記ベッド本体から取り外したときにベッド本体の下面側に収容可能に設けられた支持手段を有し、上記側柵は、側柵本体と、この側柵本体に所定間隔で離間して設けられた一対の支持軸とからなり、上記支持手段は、上記ベッド本体の下面の幅方向一端部に上記ベッド本体の長手方向に沿って設けられた取り付け部材と、この取り付け部材の両端部に上記ベッド本体の幅方向に沿ってそれぞれ固着して設けられた一対のガイド部材と、各ガイド部材に、その軸心に沿ってスライド可能かつ前記軸心を中心に回動可能に支持された摺動軸と、上記ベッド本体の幅方向外方に位置する上記各摺動軸の一端に設けられ、上記各摺動軸に対して略直角に延び、上記側柵の支持軸を着脱可能に支持する支持部材と、この支持部材を上記ベッド本体の下面側でほぼ水平に倒伏した第１の状態及びベッド本体の幅方向外方でほぼ垂直に起立した第２の状態とで位置決め保持する位置決め手段とからなることを特徴とするベッド装置にある。
【０００８】
請求項２の発明は、上記位置決め手段は、上記ガイド部材の軸方向に沿って形成された第１の溝部と、一端をこの第１の溝部の上記ベッド本体の幅方向外方に位置する一端に連通させて上記ガイド部材の周方向に沿って形成された第２の溝部とからなるガイド溝と、上記摺動軸に設けられるとともに上記ガイド溝に係合し、上記第１の溝部の他端に位置するときには上記支持部材を上記第１の状態で位置決め保持し、上記第２の溝部の他端に位置するときには上記支持部材を上記第２の状態で位置決め保持する係合部材とを有することを特徴とする請求項１記載のベッド装置にある。
【０００９】
請求項３の発明は、上記ガイド部材には、上記係合部材の上記第２の溝部における位置を調整する調整部材が設けられていることを特徴とする請求項２記載のベッド装置にある。
【００１０】
請求項４の発明は、上記支持手段は上記ベッド本体の下面の幅方向両側にそれぞれ設けられていることを特徴とする請求項１記載のベッド装置にある。
【００１２】
この発明によれば、支持手段をベッド本体の幅方向側部の下面側に収納可能に設けたため、側柵をベッド本体から取り外した状態において支持手段が邪魔にならないように収納することができる。
【００１３】
【発明の実施の形態】
以下、図面を参照しながら発明の一実施の形態を説明する。
【００１４】
図１に示すベッド装置はベッド本体１を有する。このベッド本体１の長手方向一端にはヘッドボード２が垂設されている。上記ベッド本体１の下面の４隅部には、脚３がそれぞれ固着されており、上記ベッド本体１が床に対して水平に支持されるようになっている。
【００１５】
図２に示すように、上記ベッド本体１の下面の長手方向中途部で、幅方向一端部には、アングル材からなる取り付け部材４がＬ字状の内面をベッド本体１の幅方向外方に向けてその一辺を固着して設けられている。
【００１６】
上記取り付け部材４の他辺の両端部には、それぞれ円筒状のガイド部材５が軸方向の中途部を固着し、かつ軸線を上記ベッド本体１の幅方向に沿わせて設けられている。
【００１７】
一対のガイド部材５の周壁には、それぞれＬ字状のガイド溝６が穿設されている。このガイド溝６は、各ガイド部材５の軸方向に沿って穿設された第１の溝部７と、この第１の溝部７のベッド本体１の幅方向外方に位置する一端から上記ガイド部材５の周方向に沿って所定角度、この実施の形態では約９０度にわたって穿設された第２の溝部８とから構成されている。
【００１８】
なお、一方のガイド部材５に形成される第２の溝部８と、他方のガイド部材５に形成される第２の溝部８とは、一対のガイド部材５の配置方向に沿う径方向の相反する部分に形成されている。
【００１９】
上記一対のガイド部材５にはそれぞれ摺動軸９が挿入されている。図３に示すように、各摺動軸９のベッド本体１の幅方向内方に位置する一端部外周面には第１の雌ネジ１０が形成されており、この第１の雌ネジ１０には係合部材としての第１のボルト１１が螺合される。この第１のボルト１１は頭部１２とネジ部１３からなり、そのネジ部１３の外径は上記ガイド溝６の幅寸法よりもやや小径となっている。そのため第１のボルト１１を上記ガイド溝６に挿通して上記第１の雌ネジ１０に螺合することによって、上記摺動軸９を上記ガイド部材５に対してスライド可能かつ回動可能に保持している。
【００２０】
つまり、上記ガイド溝６と上記第１のボルト１１とで摺動軸９をガイド部材５に対して所定の軸方向のスライド位置と、周方向の回動位置で位置決めする位置決め手段を構成しており、各摺動軸９は上記第１のボルト１１が上記ガイド溝６に沿って摺動することができる範囲内でガイド部材５に対してスライドおよび回動することができるようになっている。
【００２１】
上記一対のガイド部材５の外周面の所定位置、つまり上記第１の溝部７が形成された位置から周方向に１８０度ずれた位置にはそれぞれブラケット１４がその一端部を固着して互いに平行に設けられている。図３に示すように、このブラケット１４の他端部には上記第１のボルト１１の頭部に対向するようにそれぞれ第２の雌ネジ１５が形成されている。
【００２２】
これら各第２の雌ネジ１５にはブラケット１４に対して進退可能に調整部材としての第２のボルト１６が螺合されている。この第２のボルト１６を進退させることで、その先端部１７を上記第１のボルト１１の頭部１２の側面に当接可能になっている。この当接によって上記摺動軸９がガイド部材５に対して回動する範囲を調整している。
【００２３】
これによって、上記第２の溝部８をガイド部材５の周方向に沿って９０度以上にわたって穿設しておき、上記第２のボルト１６の進退によって上記摺動軸９がほぼ９０度回動したときに上記第１のボルト１１の頭部１２の側面に上記第２のボルト１６の先端部が当接するように調整することができる。つまり、上記ガイド溝６の加工精度が十分でなくても上記摺動軸９の回動角度を９０度に設定することができる。
【００２４】
上記各摺動軸９のベッド本体１の幅方向外方に位置する他端にはそれぞれ円筒状の支持部材２０が軸方向一端を固着して設けられている。一対の支持部材２０には側柵２１が着脱可能に支持されている。
【００２５】
この側柵２１は図１に示すように矩形状に形成された側柵本体２２と、この側柵本体２２の下端に長手方向に離間して固着された一対の筒状の支持軸２３からなる。この支持軸２３の下端部は上記支持部材２０と同径な支持部２４となっていて、この支持部２４の下端からは係合軸部２５が突設されている。
【００２６】
上記各係合軸部２５は上記各支持部材２０に着脱可能に挿入される。それによって、側柵２１は上記支持部材２０に着脱可能に支持されることになる。
【００２７】
なお、上記取り付け部材４、ガイド部材５、摺動軸１２および支持部材２０とで側柵２１を着脱可能に支持するこの発明の支持手段３０を構成している。
【００２８】
次に上記構成のベッド装置を使用する際の作用について説明する。
【００２９】
上記側柵２１をベッド本体１から取り外しているときは、上記支持部材２０はベッド本体１の下面側にほぼ水平に倒伏した姿勢で保持されている。このとき、上記第１のボルト１１はガイド溝６の第１の溝部７の他端に位置しており、これによって支持部材２０は図２に鎖線で示すように取り付け部材４の内面側にほぼ水平に倒伏した第１の状態となる。この第１の状態において、摺動軸９は第１のボルト１１が第１の溝部７に係合していることでガイド部材５に対して周方向に回動するのが規制されている。つまり、支持部材２０は水平に倒伏した状態で確実に保持される。
【００３０】
上記側柵２１をベッド本体１に取り付けるときは、予め上記第２のボルト１６を進退させて、ガイド溝６内で上記第１のボルト１１がガイド部材５の周方向に回動可能な角度範囲がほぼ９０度となるように設定しておく。
【００３１】
ガイド部材５の回動角度が設定された状態で、上記支持部材２０をベッド本体１の幅方向外方へ引き、摺動軸９をベッド本体１の幅方向外方にスライドさせる。そして、上記第１のボルト１１が上記ガイド溝６を構成する第１の溝部７の他端から一端に至ったならば、支持部材２０を図２と図４に矢印Ｘで示す方向に回動させ、上記第２のボルト１６の先端部１７を上記第１のボルト１１の頭部１２に当接させる。これによって、倒伏姿勢にあった支持部材２０はほぼ垂直な起立姿勢になる。
【００３２】
一対の支持部材２０が平行かつほぼ垂直に起立した姿勢になったならば、上記側柵２１の支持軸２３に設けられた係合軸部２５を円筒状の支持部材２０の他端に挿入する。これによって、上記側柵２１はベッド本体１の側部に着脱可能に保持されることになる。
【００３３】
このとき、上記第１のボルト１１は、ガイド溝６の第２の溝部８に位置することで、支持部材２０および摺動軸９がガイド部材５に対して軸方向にスライドするのを規制している。そのため、側柵２１が使用中にベッド本体１の幅方向にスライドすることがない。
【００３４】
また、支持部材２０を起立姿勢にしたときに、第１のボルト１１が第２のボルト１６の先端部１７に当接するから、一対の支持部材２０は軸線をほぼ鉛直にした状態で平行に位置決めされる。そのため、側柵２１の一対の支持軸２３を迅速かつ簡単に支持部材２０に挿入することができる。
【００３５】
上記側柵２１をベッド本体１から取り外したときは、上述したごとく上記各支持部材２０および摺動軸９をベッド本体１の下面側に収納保持することになる。
【００３６】
つまり、上記各支持部材２０を図２と図４に矢印Ｙで示す方向に回動させ、次いで摺動軸９を上記第１のボルト１１が第１の溝部７の一端に至るまでスライドさせれば、支持部材２０を上述したごとくベッド本体１の下面でほぼ水平に倒伏させて支持できる。そのため、側柵２１を使用しないときに支持部材２０がベッド本体１の側方に突出して邪魔になるようなことがない。
【００３７】
図６にこの発明の第２の実施の形態を示す。
【００３８】
この実施の形態では、上記支持手段３０をベッド本体１の下面の幅方向両端部にそれぞれ設けている。上記一対の支持手段３０の取り付け部材４には、ベッド本体１の下面に長手方向に離間して固着された一対の補強部材２８の長手方向両端部が固着されている。
【００３９】
これによって、ベッド本体１の幅方向一端と他端とのいずれか一方あるいは両方に側柵２１を設けることができる。すなわち、ベッド本体１の幅方向のどちらか一方だけに支持手段３０を設けると、ベッド本体１を部屋に設置する場合、幅方向の他方を部屋の壁面に接合させて設置しなければならなくなる。つまり、ベッド本体１の設置状態が限定されてしまう。
【００４０】
しかし、上記のようにベッド本体１の幅方向両端部に支持手段３０を設けることで、ベッド本体１の幅方向一方あるいは他方のどちらを壁面に接合させて設置しても、その反体側の支持手段３０に上記側柵２１を設けることができる。
【００４１】
つまり、ヘッドボート２を有するベッド本体１において、利用者の頭部の向きが決められていても、ベッド本体１の壁面と反対側の側部に側柵２１を設けることができる。
【００４２】
また、ベッド本体１の下面に一対の補強部材２８を固着し、その補強部材２８の両端部を上記一対の取り付け部材４に固着した。そのため、上記各支持手段３０をベッド本体１の下面に強固に取り付けることができる。
【００４３】
なお、上記各実施の形態では、上記各支持部材２０を図２と図４に矢印Ｙで示す方向に回動させてベッド本体１の下面側に収納保持したが、上記矢印Ｙで示す方向と反対方向に回動させて上記ベッド本体１の下面側に収納保持するようにしてもよい。
【００４４】
【発明の効果】
この発明によれば、ベッド本体の幅方向外方に突出して上記側柵を着脱可能に支持する支持部材を、この側柵をベッド本体から取り外したときにベッド装置の下面側に収納することができるから、側柵を利用しないときに上記支持部材が邪魔になるのを防止することができる。
【図面の簡単な説明】
【図１】この発明の一実施の形態に係るベッド装置を示す斜視図。
【図２】支持手段を示す斜視図。
【図３】摺動軸の回動角度を調整する調整手段を示す断面図。
【図４】支持部材の動きを示すベッド装置の斜視図。
【図５】支持部材に支持軸の係合軸部を挿入した状態の部分断面図。
【図６】この発明の第２の実施の形態のベッド装置の下面図。
【符号の説明】
１…ベッド本体
４…取り付け部材
５…ガイド部材
６…ガイド溝
７…第１の溝部
８…第２の溝部
９…摺動軸
１０…第１の雌ネジ
１１…第１のボルト
１５…第２の雌ネジ
１６…第２のボルト
２０…支持部材
２１…側柵
【図１】
0003786589.tif 000002
【図２】
0003786589.tif 000003
【図３】
0003786589.tif 000004
【図４】
0003786589.tif 000005
【図５】
0003786589.tif 000006
【図６】
0003786589.tif 000007